(57)【要約】      （修正有）【課題】花鉢を載せたときの安定感を備えながら、金属光沢があり装飾性の高い外観を備える花台を提供する。【解決手段】花台１は、筒形状をしたアルミニウム製の台座２と、台座に積み重ねられ花鉢７を載置するアルミニウム製の花鉢受皿３と、花鉢受皿３に着脱自在に取り付けられると共に、台座２の筒部２０の内側に配置される水溜容器４と、を備えている。台座２には、花鉢受皿３を載置する側の先端面２４に設けられる凸部２５と、花鉢受皿３に対して反対側の基部端面２６に設けられる凹部２７と、を備えている。【選択図】図２
0003186251.tif 000002
【実用新案登録請求の範囲】
【請求項１】
筒形状をした金属製の台座と、前記台座に積み重ねられて花鉢を載置する金属製の皿状の花鉢受皿と、前記花鉢受皿に着脱自在に取り付けられると共に、前記台座の筒部の内側に配置される水溜容器と、を有する、
ことを特徴とする花台。
【請求項２】
請求項１に記載の花台において、
前記台座は、リング状の上部と、リング状の下部と、複数の柱状部により全体として筒形状とされ、かつ、その前記柱状部間の隙間が側方から前記水溜容器を視認可能な隙間とされた前記上部と前記下部とをつなぐ中央部と、を備え、
前記水溜容器は、溜まった水の容量を外方から確認できる材質で形成されている、
ことを特徴とする花台。
【請求項３】
請求項１または請求項２に記載の花台において、
前記花鉢受皿の前記花鉢を載置する面には、前記水溜容器と連通する水抜き孔に連続する位置で深く、外周縁に近い位置で浅くなる傾斜を備える溝または面が形成され、
前記水溜容器には、水抜き装置が設けられており、
前記水抜き装置には、ホースを差し込むと開閉弁が開いて前記水溜容器に溜まった水が前記ホースを介して外部に流出し、前記ホースを引き抜くと前記開閉弁が閉まり水の流出が止まる弁部材が設けられている、
ことを特徴とする花台。
【請求項４】
請求項１から請求項３のいずれか一項に記載の花台において、
前記台座は、前記花鉢受皿を載置する側の先端面に設けられる凸部と、前記花鉢受皿に対して反対側となる基部端面に設けられる凹部と、を備えており、
前記花鉢受皿は、前記凸部と嵌合する前記台座側に面する底面に設けられる凹部を備えている、
ことを特徴とする花台。
【請求項５】
請求項３に記載の花台において、
前記花鉢受皿と前記水溜容器との着脱構造は、前記花鉢受皿の底面に形成されるバヨネット溝と、前記水溜容器の前記花鉢受皿側の端面から外側方向に突設されるバヨネット爪とを嵌合させるバヨネット構造を用いている、
ことを特徴とする花台。
【請求項６】
請求項１から請求項５のいずれか一項に記載の花台において、
前記台座および前記花鉢受皿をアルミニウム製とし、その表面は陽極酸化被膜によって着色されている、
ことを特徴とする花台。
【請求項７】
請求項１から請求項６のいずれか一項に記載の花台と、
前記花台の前記台座の底面に設けられた凹部または凸部に、前記花台の前記台座と同じ形状であり、かつ、その表面に設けられた凸部または凹部を嵌合させた他の台座と、を有する、
ことを特徴とする花台。
【考案の詳細な説明】
【技術分野】
【０００１】
本考案は、花台に関する。
【背景技術】
【０００２】
花鉢（植木鉢）を室内に置く場合、花鉢の底面よりもやや大きい花鉢受皿の上に花鉢を載せるものが一般的であった。しかし、水を多くやりすぎると花鉢で収容しきれない水が花鉢受皿から溢れだし、床などを汚してしまうという問題があった。そこで、この問題を解決する手段として、たとえば特許文献１には、花鉢を載せる花台に複数の孔を設け、この花台の下部に引出し型の水溜容器を格納し、花鉢から流れ出した水を水溜容器に収容し、この水溜容器を花台から引き出して、溜まった水を排出するというものが開示されている。
【先行技術文献】
【特許文献】
【０００３】
【特許文献１】特開２００１−３３３６４４号公報
【考案の概要】
【考案が解決しようとする課題】
【０００４】
特許文献１に記載されている水溜容器付の花台では、花台本体が、石材、樹脂、ゴム、紙、または発泡剤などで形成されており、これらの材質は、形状や色彩に工夫を凝らしても金属光沢を備えた装飾性の高い外観を得ることはできない。また、樹脂、ゴム、紙、発泡剤などで形成した花台は軽量すぎて花鉢を載せたときに安定感がないという問題がある。
【０００５】
本考案は、かかる課題に鑑みてなされたものであり、その目的とするところは、花鉢を載せたときの安定感を備えながら、金属光沢があり装飾性の高い外観を備える花台を提供しようとするものである。
【課題を解決するための手段】
【０００６】
上記課題を解決するために、本考案の花台は、筒形状をした金属アルミニウム製の台座と、台座に積み重ねられ花鉢を載置する金属アルミニウム製の皿状の花鉢受皿と、花鉢受皿に着脱自在に取り付けられると共に、台座の筒部の内側に配置される水溜容器と、を有すること、とする。
【０００７】
また、上記考案に加えて、台座は、リング状の上部と、リング状の下部と、複数の柱状部により全体として筒形状とされ、かつ、その柱状部間の隙間が側方から水溜容器を視認可能な隙間とされた上部と下部とをつなぐ中央部と、を備え、水溜容器は、溜まった水の容量を外方から確認できる材質で形成されている、ことが好ましい。
【０００８】
また、上記考案に加えて、花鉢受皿の花鉢を載置する面には、水溜容器と連通する水抜き孔に連続する位置で深く、外周縁に近い位置で浅くなる傾斜を備える溝または面が形成され、水溜容器には、水抜き装置が設けられており、水抜き装置には、ホースを差し込むと開閉弁が開いて水溜容器に溜まった水がホースを介して外部に流出し、ホースを引き抜くと開閉弁が閉まり水の流出が止まる弁部材が設けられている、ことが好ましい。
【０００９】
また、上記考案に加えて、台座は、花鉢受皿を載置する側の先端面に設けられる凸部と、花鉢受皿に対して反対側となる基部端面に設けられる凹部と、を備えており、花鉢受皿は、凸部と嵌合する台座側に面する底面に設けられる凹部を備えている、ことが好ましい。
【００１０】
また、上記考案に加えて、花鉢受皿と水溜容器との着脱構造は、花鉢受皿の底面に形成されるバヨネット溝と、水溜容器の花鉢受皿側の端面から外側方向に突設されるバヨネット爪とを嵌合させるバヨネット構造を用いている、ことが好ましい。
【００１１】
また、上記考案に加えて、台座および花鉢受け皿をアルミニウム製とし、その表面は陽極酸化被膜によって着色されている、ことが好ましい。
【００１２】
また、上記考案に加えて、上記花台と、花台の台座の底面に設けられた凹部または凸部に、花台の台座と同じ形状であり、かつ、その表面に設けられた凸部または凹部を嵌合させた他の台座と、を有する、ことが好ましい。
【図面の簡単な説明】
【００１３】
【図１】本考案の実施の形態に係る花台を示す平面図である。
【図２】図１のＡ‐Ａ線で切断した断面図である。
【図３】図１、図２に示す花台を構成する水溜容器と花鉢受皿との着脱構造を示し、（Ａ）は平面図で、（Ｂ）、（Ｃ）は部分断面図である。
【図４】図１、図２に示す花台に取付けられる水抜き装置を示す断面図である。
【図５】台座を二つ重ねた場合の花台を示す正面図である。
【考案を実施するための形態】
【００１４】
図１は、本考案に係る花台１を示す平面図であり、図２は、図１のＡ‐Ａ線で切断した断面図である。図１、図２に示すように、花台１は、円筒形状をした金属製の台座２と、台座２の開口部４０側に積み重ねられる金属製の花鉢受皿３と、花鉢受皿３に着脱自在に取り付けられると共に、台座２を軸方向に貫通する筒部２０内に配置される水溜容器４と、を備えている。花台２は、さらに水抜き装置５と、その水抜き装置５に着脱可能に取り付けられるホース６と、を備えている。台座２は花鉢受皿３を載置する台であり、水溜容器４は花鉢７から流出する水を溜めておく容器である。
【００１５】
台座２は、花鉢受皿３側の花鉢受部２１（上部に相当）と、花鉢受皿３に対して反対側の基部２２と、花鉢受部２１と基部２２とを連結する胴部２３（中央部に相当）とを備えている。花鉢受部２１および基部２２（下部に相当）の直径は同じで、胴部２３の直径より大きいリング形状をしている。花鉢受皿３を取り付ける側の先端面２４には、円環形状の凸部２５が花鉢受皿３に向かって突設されている。また、基部２２側の基部端面２６には、円環状の凹部２７が形成されている。凸部２４は、台座２に花鉢受皿３を重ねるときに嵌合可能な形状および寸法になるように設定されている。
【００１６】
胴部２３には、筒部２０の側面を貫通する側面開口部２８が形成されている。この側面開口部２８を通して水溜容器４を見ることができ、溜まった水を確認できる。なお、図１では、側面開口部２８を円周方向の４か所に形成した例を図示しているが、４か所に限らず１か所、２か所、または３か所など数は限定されない。側面開口部２８は、複数の柱状部２９の間の隙間に相当し、柱状部２９が４つであると側面開口部２８は４か所となる。側面開口部２８は、後述する水抜き装置５にホース６を着脱することが可能な大きさおよび形状とする。
【００１７】
花鉢受皿３は、皿状の形状で、花などが植栽された花鉢７を載せる花鉢載置面３０と、花鉢載置面３０の外周を囲む周縁壁３０ａを備えている。花鉢載置面３０の中央部には、花鉢載置面３０を厚さ方向に貫通する水抜き孔３１が形成されている。水抜き孔３１は、水溜容器４と連通している。さらに、花鉢載置面３０には、水抜き孔３１に連続する位置で深く、外周縁側（周縁壁３０ａ側）の位置が浅くなる傾斜面を有する溝３２が複数（この実施の形態では４本）形成されている。
【００１８】
溝３２は、花鉢７から流れ出た水を水抜き孔３１に導くために設ける溝であり、図１では四方に形成する場合を例示している。ただし、水抜き溝３２の数は４本に限らず４本より多くしても減らしてもよい。あるいは、花鉢７を載せる平面部（花鉢載置面３０一部）を残して、水抜き孔３１に向かう漏斗状のテーパー面として形成にしてもよい。
【００１９】
花鉢受皿３の底面３３には、水溜容器取付け面３４を底部とする凹部が形成されている。水溜容器取付け面３４に水溜容器４が着脱可能に取り付けられる。水溜容器４と花鉢受皿３との着脱は、花鉢受皿３に形成されるバヨネット溝３７,３９（図３参照）と、水溜容器４に形成されるバヨネット爪４２，４３（図３参照）とによって行われるが、バヨネット構造については、図３を参照して後述する。
【００２０】
以上説明した台座２および花鉢受皿３は共に、アルミニウム製（アルミニウム合金も含む）であって、その表面には、不図示の陽極酸化膜被膜（アルマイト）が形成されている。陽極酸化被膜形成後に電界着色処理を行うことによって、台座２および花鉢受皿３は様々な色の金属光沢を備えた着色が可能である。陽極酸化膜被膜処理および電界着色処理によって、台座２および花鉢受皿３は、たとえば銀白色、金色、黒色、赤色系、青色系、または緑色系などの様々な色に着色可能である。なお、陽極酸化被膜は耐食性に優れているが、耐食性の観点から、陽極酸化被膜にさらに封孔処理を施してもよい。
【００２１】
水溜容器４は、たとえばアクリル樹脂系の透明な容器であって、花鉢受皿３の水溜容器取付け面３４に開口部周縁端面４１を押し付けるようにして、バヨネット構造を用いて取り付けられている。開口部周縁端面４１からは、バヨネット爪４２，４３が外側に向かって突設されている。バヨネット爪４２，４３の各々は、周方向に１８０°離れた位置に配置されている。また、水溜容器４の底部４４には、水抜き装置５が取り付けられている。
【００２２】
水抜き装置５は、Ｌ字型パイプ５０の内部に開閉弁を有する弁部材５４が備えられており、ホース挿入口部５３にホース６を差し込むと、開閉弁が開いて水溜容器４に溜まった水がホース６を介して外部に流出し、ホース６を引き抜くと開閉弁が閉まり水の流出が止まるようになっている。なお、水抜き装置５は、Ｌ字型でも直線型でもよいが、共に台座２の筒部２０の範囲内に配置されることが好ましい。なお、水抜き装置５の詳細構造は、図４を参照して後述する。
【００２３】
花台１は、水溜容器４が取り付けられた花鉢受皿３を、台座２に積み重ねるときに、台座２の凸部２５に、花鉢受皿３の凹部３５を嵌合させることで、台座２に対して花鉢受皿３の平面方向（図２中では横方向）への移動を規制できる。花鉢受皿３を持ち上げれば台座２と花鉢受皿３を分離することができる。
【００２４】
次に、水溜容器４と花鉢受皿３との着脱構造について、図３を参照しながら説明する。
【００２５】
図３は、水溜容器４と花鉢受皿３との着脱構造を示しており、（Ａ）は平面図、（Ｂ）、（Ｃ）は、（Ａ）のＡ−Ａ線方向から見た部分断面図である。なお、図３は、着脱構造を分かりやすく説明するために、水溜容器４を花鉢受皿３に対して上側にして図示している（図２の状態と上下逆の状態）。なお、水抜き装置５や、その取付け部分は省略している。図３（Ａ）から（Ｃ）に示すように、花鉢受皿３の底面３３には、水溜容器取付け面３４に達する深さのバヨネット穴３６，３８が形成されており、これらバヨネット穴３６，３８の各々からバヨネット溝３７，３９が、図３（Ａ）に示すように時計回り方向に形成されている。
【００２６】
次に、水溜容器４の花鉢受皿３への取付け方法を説明する。
【００２７】
図３（Ａ），（Ｂ）に示すように、まず、花鉢受皿３のバヨネット穴３６の形成範囲内にバヨネット爪４２を配置し、バヨネット穴３８の形成範囲内にバヨネット爪４３を配置する。図３（Ａ）では、このときのバヨネット爪４２の位置を４２（Ａ）で表し、バヨネット爪４３の位置を４３（Ａ）で表している。このとき、花鉢受皿３と水溜容器４とは、それぞれの対向する面（水溜容器取付け面３４と開口部周縁端面４１）で密接している。この状態から、水溜容器４を固定して花鉢受皿３を図３（Ａ）に示すように反時計まわり（矢印（ａ）方向）に回転すると、バヨネット爪４２はバヨネット溝３７に入り込み、バヨネット爪４３はバヨネット溝３９に入り込む。図３（Ａ）では、このときのバヨネット爪４２の位置を、４２（Ｂ）で表し、バヨネット爪４３の位置を４３（Ｂ）で表している。この状態で、水溜容器４を持ち上げても、花鉢受皿３からは外れない。
【００２８】
なお、バヨネット爪４２、バヨネット穴３６、およびバヨネット溝３７と、バヨネット爪４３、バヨネット穴３８、およびバヨネット溝３９は、周方向に角度１８０°離れた位置にあるものの寸法、形状は同じなので、図３（Ｂ），（Ｃ）は、バヨネット爪４２側の構造を例示し、バヨネット４３側は省略している。また、図３（Ｂ），（Ｃ）は、図３（Ａ）に対して拡大表示している。バヨネット爪４２の水溜容器取付け面３４とは反対の角部には、斜面４２ａが形成されており、バヨネット爪４２がバヨネット溝３７に入り込み易くしている。
【００２９】
次に、水溜容器４を花鉢受皿３から取外す方法を説明する。
【００３０】
図３（Ａ）に示すように、水溜容器４を花鉢受皿３に取付けた状態から、水溜容器４を固定して花鉢受皿３を図３（Ａ）に示すように時計まわり（矢印（ｂ）方向）に回転すると、バヨネット爪４２はバヨネット溝３７から外れ、バヨネット爪４３はバヨネット溝３９から外れる。つまり、バヨネット爪４２の位置は４２（Ａ）に戻り、バヨネット爪４３の位置は４３（Ａ）に戻る。この状態にすれば、水溜容器４は容易に花鉢受皿３から取り外すことができる。このような着脱構造をバヨネット構造と呼ぶ。
【００３１】
バヨネット爪４２，４３の厚さは、バヨネット溝３７，３８の高さ寸法（溝高さ）に対して同じか、わずかに厚くしているが、この締め代は、花鉢受皿３を水溜容器４に対して容易に回転できる程度とする。または、水溜容器４を花鉢受皿３に取付けたときに、バヨネット爪４２，４３の先端部が、バヨネット溝３７，３８の外周側の壁に喰いつくようにしてもよい。
【００３２】
次に、水抜き装置５の構造および作用について図４を参照して説明する。
【００３３】
図４は、水抜き装置５を示す断面図であり、（Ａ）はホース６が水抜き装置５に差し込まれていない状態を表し、（Ｂ）はホース６を水抜き装置５に差し込んだ状態を表している。図４（Ａ），（Ｂ）に示すように、水抜き装置５は、Ｌ字型パイプ５０と、Ｌ字型パイプ５０の内部に配置される弁部材５１とから構成されている。Ｌ字型パイプ５０の一方の端部は、水溜容器４の底部４４にネジ固定され、水溜容器４に連通している。Ｌ字型パイプ５０の他方の端部は、ホース６を差し込むホース挿入口部５２である。Ｌ字型パイプ５０の内側には、鍔状の段部５３が形成され、段部５３の水溜容器４側には斜面５４が形成されている。
【００３４】
弁部材５１は、頭部５１ａと、頭部５１ａからホース挿入口部５２に向かって形成された筒部５１ｂとを備えている。筒部５１ｂの側面には水を通過させる複数の流水孔５５が形成されている。筒部５１ｂの中央部には、頭部５１ａから突設された柱部５１ｃが形成されており、柱部５１ｃの先端部に円盤状のストッパー５６が固定されている。ストッパー５６にも、柱部５１ｃの周囲に複数の水を通過させる流水孔５７が形成されている。弁部材５１は、段部５３の内壁に沿って進退可能となっている。頭部５１ａの外周部にはパッキン５８が装着されている。パッキン５８の外径は、段部５３の内周径よりも大きく、段部５３からホース挿入口部５２に向かって移動できないようになっている。
【００３５】
頭部５１ａとストッパー５６の間には、筒部５１ｂを巻回するコイルバネ６０が配置されている。コイルバネ６０によって、ストッパー５６をホース挿入口部５２に向かって押すことで、弁部材５１がホース挿入口部５２に向かって押動され、パッキン５８が段部５１の斜面５４に押圧される。そのことによって、水の流路は遮断される（図４（Ａ）の状態）。なお、ホース挿入口部５２の先端部とストッパー５６の間にも、Ｌ字型パイプ５０の内筒部６１の内周壁に沿うパッキン６２が配置されている。
【００３６】
以上説明した、ホース６がホース挿入口部５２に差し込まれていないとき（図４（Ａ）の状態）には、弁部材５１が閉まって水の流路を閉鎖するため、水溜容器４に溜まった水は流出しない。
【００３７】
水溜容器４に溜まった水を排出するときには、図４（Ｂ）に示すように、ホース６をホース挿入口部５２に差し込むと、ホース６を押し込む力によってストッパー５６を介してコイルバネ６０を圧縮し、弁部材５１を矢印Ｂ方向に移動させる。すると、パッキン５８と斜面５４との間に隙間ができ、筒部５１ｂに形成された流水孔５５は、段部５３から離れて解放される。このような状態になると、水溜容器４に溜まった水は、矢印で示すように流水孔５５，５７を通ってホース６から外部に排出される。
【００３８】
ホース６とＬ字型パイプ５０とは、その間から水が漏れない程度の締め代を備える。この締め代により、ホース６を差し込んだときに、コイルバネ６０が伸びようとする弾性力で押し戻されない程度の抵抗力を生む。また、Ｌ字型パイプ５０の内壁には、ホース６の押し込み範囲内にパッキン５８が装着されているので、Ｌ字型パイプ５０の内壁とホース６の外周部の間から水が漏れることはなく、パッキン６２の押し圧力分だけ既述の抵抗力を補完できる。
【００３９】
次に、花台１の使用方法を説明する。
【００４０】
図２に示すように、花鉢受皿３に既述した方法で水溜容器４を取り付け、台座２の凸部２４に花鉢受皿３の凹部３５を嵌めこむようにして台座２に花鉢受皿３を載せる。そして、花鉢受皿３に花鉢７を載せる。花鉢７への水やり後に、水溜容器４に水が溜まったところで、水抜き装置５にホース６を差し込み、バケツなどの容器に水溜容器内４内の水を排出する。または、水溜容器４を花鉢受皿３に取付けた状態で台座２から取り外し、他の場所でホース６を水抜き装置５に差し込み、水溜容器内４内の水を排出する。
【００４１】
以上説明した花台１は、一つの台座２に花鉢受皿３を載せる構成であるが、台座２を複数個多段に積み重ねることが可能である。その１例について図５を参照して説明する。
【００４２】
図５は、台座２を二つ積み重ねた場合の花台１Ａを示す正面図である。言い換えるならば、既述した花台１を他の台座２に積み重ねた構成である。図示下段側の台座２の先端面２４に形成された凸部２５に、図示上段側の台座２の基部端面２６に形成された凹部２７を嵌合させることによって、下段側の台座２に上段側の台座２を載置すると、２段重ねの台座ができる。上段側の台座２の基部２２の直径と、下段側の台座２の花鉢受皿受部２１の直径とは同じであるため、二つの台座２を積み重ねても側面が連続するため、違和感のない外観が得られる。花台１Ａは、台座２を３段、４段…というように積み重ねて、花鉢７の高さ位置を適宜調整することが可能である。
【００４３】
以上説明した花台１は、台座２と、台座２に積み重ねられ花鉢７を載置する花鉢受皿３と、花鉢受皿３に着脱自在に取り付けられると共に、台座２の筒部２０の内側に配置される水溜容器４と、を備えている。台座２および花鉢受皿３は共に金属製であるため、金属光沢を備えながら、全体としてすっきりした柱状に構成されていることから、花鉢７を載置したときの安定感と、装飾性が高い外観を備える花台を提供できる。
【００４４】
花鉢７に水やりをする際、吸収できない余分な水は花鉢７から流れ出す。そこで、花鉢受皿３に水溜容器４を取付けることで、花鉢７から流れ出す水を水溜容器４に溜めておき、水が溜まったときに水溜容器４から排出すれば、花台１の周囲を汚さずに済む。
【００４５】
台座２の筒部２０の内側には水溜容器４が配置されている。台座２には側面開口部２８が形成されているので外方から水溜容器４を見ることができ、さらに、水溜容器４は透明な材質で形成されていることから、水溜容器４に溜まった水の容量を外方から確認できる。
【００４６】
また、花鉢受皿４の花鉢載置面３０には、水抜き孔３１に連続する位置で深く、周縁壁３０ａに近い位置で浅くなるような傾斜を有する溝３２を形成している。このような溝３２で花鉢７から流れ出した水をスムーズに水抜き孔３１に導くことができる。さらに、溝３２の形成部以外の花鉢載置面３０はフラット面であることから、花鉢載置面３０の形成範囲内において、花鉢７の底部の大きさに限定されずに、花鉢７を花鉢受皿７に安定した姿勢で載置することができる。
【００４７】
また、水抜き装置５は、ホース挿入口部５２にホース６を差し込むと弁部材５４が開いて、ホース６を介して水溜容器４に溜まった水を外部に流出でき、ホース６を水抜き装置５から引き抜くと弁部材５４が閉まり水の流出を止めることが可能である。したがって、水溜容器４から排水可能な状態と、排水しない状態を容易につくることができる。
【００４８】
また、台座２は、花鉢受皿３を取り付ける側の先端面２４に設けられる凸部２５を備え、花鉢受皿３は、凸部２５と嵌合する凹部３５を備えているため、凸部２５に凹部３５を嵌合させれば、花鉢受皿３を台座２に安定した姿勢で、しかも台座２と花鉢受皿３の位置ずれがなく載置できる。さらに、台座２から花鉢受皿３を容易に取外すこともできる。
【００４９】
また、花鉢受皿３と水溜容器４との着脱構造は、花鉢受皿３に設けられるバヨネット溝３７，３８と、水溜容器４に設けられるバヨネット爪４２，４３とを嵌合させるバヨネット構造を用いている。したがって、花鉢受皿３を水溜容器４に対して一方方向に回転させれば、花鉢受皿３に水溜容器４を容易に取り付けることが可能であり、逆方向に回転すれば、容易に取り外すことができる。このように、水溜容器４は花鉢受皿３に着脱可能としているため、花鉢受皿３から水溜容器４を取り外して洗浄することが可能となる。水溜容器４には、水抜き装置５を取り付けているので、花台１として組み立てた状態や、花鉢受皿３に水溜容器４を取り付けた状態で排水できる。
【００５０】
また、台座２および花鉢受皿３をアルミニウム製とし、それらの表面に、陽極酸化膜被膜を形成している。陽極酸化被膜形成（または、陽極酸化被膜形成後に電界着色処理を行うことを含む）ことによって、台座２および花鉢受皿３は様々な色の金属光沢を備える着色が可能となる。このような被膜を形成することによって、台座２および花鉢受皿３は、たとえば銀白色、金色、黒色、赤色系、青色系、または緑色系などに着色できる。なお、台座２および花鉢受皿３は同色にしてもよく、異なった色を任意に組み合わせることができる。また、台座２、花鉢受皿３の一つひとつに複数色の着色が可能であり、花台１を置く場所の景観や、ユーザーの好みに合う自在な配色ができる。
【００５１】
以上説明した花台１を他の台座２に積み重ねて高背の花台１Ａを構成できる。そして、台座２は、複数個積み重ねることが可能である。このようにすれば、花台１Ａを置く場所の景観や、花鉢７に植栽される植物の種類、背丈などに応じて花台１Ａの高さの調整が容易に可能となる。
【００５２】
花台１Ａは、花台１Ａと台座２、台座２と花鉢受皿３、花鉢受皿３と水溜容器４とが、容易に着脱可能な構造としているので、花台１、１Ａの設置位置を移動する場合には、持ち運び可能な単位に分解すれば、誰にでも容易に移動させることが可能である。
【００５３】
以上、本発明の実施の形態に係る花台１，１Ａについて説明したが、本発明の要旨を逸脱しない限り、種々の変更実施が可能である。たとえば、台座２は円筒形状のアルミニウム製としたが、四角筒などの他の筒状としてもよいし、アルミニウム製ではなく、ステンレス製など他の金属製のものや、比重が大きい樹脂製としてもよい。また、花鉢受皿３も、ステンレス製など他の金属製のものや、比重が大きい樹脂製としてもよい。高比重樹脂としては、樹脂材に鉄やステンレスなどの金属を添加する方法やその他の方法がある。
【００５４】
また、水溜容器４は、透明な容器としているが、透明ではなく半透明にしたり、色付けした部材としてもよい。水溜容器４の中に溜まった水の容量を外側方から確認できるものが好ましいが、全く不透明なものとして水の容量を確認できないものとしてもよい。また、台座２の上部（花鉢受部２１）と下部（基部２２）を同じ直径を有するリング状部材としているが、上部と下部の形状を変えたり、径を変更したりしてもよい。また、台座２には、表面側に凸部２５を、底面側に凹部２７を設けているが、表面側に凹部を、底面側に凸部を設けるようにしてもよい。台座２の表面側に凹部を設ける場合、花鉢受皿３には凹部３５ではなく凸部を設けるようにするのが好ましい。
【符号の説明】
【００５５】
１，１Ａ…花台、２…台座、３…花鉢受皿、４…水溜容器、５…水抜き装置、６…ホース、２０…筒部、２１…花鉢受部（上部）、２２…基部（下部）、２３…胴部（中央部）、２４…先端面、２５…凸部（台座）、２６…基部端面、２７…凹部（台座）、２８…側面開口部、２９…柱状部、３０…花鉢載置面、３１…水抜き孔、３２…溝、３５…凹部（花鉢受皿）、３７，３９…バヨネット溝、４２，４３…バヨネット爪、５１…弁部材。
【図１】
0003186251.tif 000003
【図２】
0003186251.tif 000004
【図３】
0003186251.tif 000005
【図４】
0003186251.tif 000006
【図５】
0003186251.tif 000007